(57)【要約】      （修正有）【課題】デザイン性に加え、上方からの部分的な応力集中による変形を予防する剛性を兼ね備えた包装用容器の蓋体及び上記蓋体にて閉蓋された包装用容器を提供する。【解決手段】天井部１と、この天井部の外周端縁から下方に拡開するように周設された側部２と、この側部から外方に突出するように設けられた山部２１とを少なくとも備え、この山部２１ａ，２１ｂ（２１ｃ，２１ｄ）は、この天井部を挟んでそれぞれ少なくとも二つ以上隣接して谷部２１ａｂ，２１ｃｄが生じるように形成され、この天井部を挟んだ谷部の各々は、この天井部を跨ぐ同一直線上に位置しないように構成されていてもよい。【選択図】図１
2019127304.tif 000002
【特許請求の範囲】
【請求項１】
天井部と、当該天井部の外周端縁から下方に拡開するように周設された側部と、当該側部から外方に突出するように設けられた山部とを少なくとも備え、
前記山部は、前記天井部を挟んでそれぞれ少なくとも二つ以上隣接して谷部が生じるように形成され、
前記天井部を挟んだ前記谷部の各々は、当該天井部を跨ぐ同一直線上に位置しないように構成されている
ことを特徴とする包装用容器の蓋体
【請求項２】
前記天井部を挟んだ前記山部の各々が、前記側部の周方向にずれて配されている
ことを特徴とする請求項１に記載の包装用容器の蓋体。
【請求項３】
前記天井部を挟んだ前記山部の各々が、同一形状及び同一寸法である
ことを特徴とする請求項１又は２に記載の包装用容器の蓋体。
【請求項４】
請求項１乃至３のいずれか一項に記載の蓋体と、当該蓋体で閉蓋される容器本体とを備えた
ことを特徴とする包装用容器。
【発明の詳細な説明】
【技術分野】
【０００１】
本発明は、例えば、食品包装用の容器本体の開口部分を閉蓋する蓋体であって、詳細には、側壁部分の表面がデザイン性に鑑みた凸凹形状である蓋体及び上記蓋体で容器本体を閉蓋した包装用容器に関する。
【背景技術】
【０００２】
従来から、例えば、スーパーマーケットやコンビニエンスストア等の小売店で販売される食品は、熱可塑性樹脂製の包装用容器に収納されてきた。ここで、包装用容器の形状は、収納する食品の種類や用途（耐熱性、ガスバリア性など）に応じて、取捨選択されてきた。さらに、上記小売店での陳列スペースに対応するためには、包装用容器の蓋体として、耐積載性を兼ね備えた形状が望まれていた。
【０００３】
例えば、特許文献１では、天面部の周縁から下方に傾斜した側壁部に対し、上記側壁部の上端から下端（フランジ部）に渡って上下方向に、平面視で凸又は凹の線状かつ断面視で半円状や三角形状の補強リブを設けることにより、積載時に全体的に加わる力に対して潰れにくい蓋体の構造が提案されている（例えば、特許文献１参照。）。
【先行技術文献】
【特許文献】
【０００４】
【特許文献１】特開２００９−０７３４９９号公報
【発明の概要】
【発明が解決しようとする課題】
【０００５】
しかしながら、上述した従来技術における発想では、蓋体の天面部の周縁から側壁部に向かって部分に加わる外力に対する耐久性に乏しい。例えば、天面部の所定の個所が部分的に押圧されたとき、上記個所から相対する上記天面部の周縁に向かって直線状に力が伝わり、さらに上記周縁と連接している側壁部に設けられた補強リブに力が伝わると、上記補強リブの各々の間（谷部分）に応力集中が生じ、上記谷部分を基点として蓋体が部分的に屈折してしまう恐れがある。
【０００６】
上述した包装用容器の天面部が部分的に屈折してしまう要因として、相対する側壁部に設けられた補強リブ同士の谷部分が同一の直線上に配されている点に、発明者等はたどり着いた。すなわち、補強リブとしての剛性のみならず、デザイン性に鑑みた凸凹形状であっても、凸部分（山部分）同士の間の凹部分（谷部分）が相対する側壁部に対して同一の直線上に配されなければ、天面部の部分的な屈折が生じ難いというものである。
【０００７】
そこで、本発明の目的は、デザイン性に加え、上方からの部分的な応力集中による変形を予防する剛性を兼ね備えた包装用容器の蓋体及び上記蓋体にて閉蓋された包装用容器を提供することにある。
【課題を解決するための手段】
【０００８】
すなわち、本発明による包装用容器の蓋体は、天井部と、上記天井部の外周端縁から下方に拡開するように周設された側部と、上記側部から外方に突出するように設けられた山部とを少なくとも備え、上記山部は、上記天井部を挟んでそれぞれ少なくとも二つ以上隣接して谷部が生じるように形成され、上記天井部を挟んだ上記谷部の各々は、上記天井部を跨ぐ同一直線上に位置しないように構成されていることを特徴としてもよい。
【０００９】
また、上記天井部を挟んだ上記山部の各々が、上記側部の周方向にずれて配されていることが望ましい。
【００１０】
また、上記天井部を挟んだ上記山部の各々が、同一形状及び同一寸法であることが望ましい。
【００１１】
さらに、本発明による包装用容器は、上述した蓋体と、上記蓋体で閉蓋される所定の容器本体とを備えたことを特徴としてもよい。
【発明の効果】
【００１２】
本発明による包装用容器の蓋体では、デザイン性に加え、上方からの部分的な応力集中による変形を予防する剛性を兼ね備えることができる。
【図面の簡単な説明】
【００１３】
【図１】本発明の一実施形態における包装用容器の蓋体の斜視図である。
【図２】上記包装用容器の蓋体の平面図である。
【図３】上記平面図のＡ−Ａ部分における拡大Ｂ−Ｂ部分端面図である。
【図４】上記平面図のＡ−Ａ部分における拡大Ｃ−Ｃ部分端面図である。
【発明を実施するための形態】
【００１４】
以下、図１〜図４を参照しつつ、本発明の一実施形態における包装用容器の蓋体（以下、「本包装用容器の蓋体」ともいう。）の構造、並びにこの構造に関する機能及び作用効果について説明する。
なお、これらの図において、複数個存在する同一の部位については、一つの部位のみに符番してもよい。説明の便宜上、所定の部位やこの引き出し線、その他の目安等を破線や想像線（二点鎖線）で示してもよい。
【００１５】
図１及び図２に示すとおり、本包装用容器の蓋体は、平面視で平行な一対の長手縁及びこれらの長手縁の両側の短手縁で構成された形状の蓋体Ｍを少なくとも備えていてもよい。
なお、蓋体Ｍの平面視での形状は、例えば、正方形、長方形、円形、半円形、又は楕円形でもよい。蓋体Ｍは、開口部分を有する容器本体（図示しない）に装着されてもよい。
【００１６】
蓋体Ｍは、平坦状かつ平面視で外周端縁が略八角形状の天井部１と、この天井部の外周端縁から下方に拡開するように周設された平面視で外周端縁がこの天井部と同形状の蓋体側部２と、この蓋体側部の外周端縁から外方かつ略水平に延出している平面視で外周端縁がこの蓋体と同形状のフランジ部３と、このフランジ部の外周端縁から下方に垂下している嵌合部（符番しない）とで構成されていてもよい。
なお、天井部１、蓋体側部２及びフランジ部３の平面視形状は、例えば、正方形、長方形、円形、半円形、又は楕円形でもよい。
【００１７】
天井部１は、平面視で平行な直線状の長手縁部１１，１１と、この長手縁部より短く、かつこの長手縁部と連接している短手縁部１２，１２とで略八角形状を形成していてもよい。
なお、天井部の形状は、天井部の形状は、長方形や六角形といった他の多角形でもよい。長手縁部と短手縁部との長さ比に限定はない。天井部１の外周端縁は段差状に設けられていてもよい。天井部１は、立体形状（例えば、ドーム状や箱状）でもよい。
【００１８】
蓋体側部２は、長手縁部１１，１１及び短手縁部１２，１２にそれぞれ連接していると共に、外方に突出するように設けられた山部２１と、所定の個所に突起部２２とが形成されていてもよい。蓋体側部２の傾斜角は、略水平な天井部１に対して４５°より緩勾配でもよい。蓋体側部２の傾斜角が４５°より急勾配だと、天井部１の上方から加わる外力に耐え切れずに変形（例えば、局所的な凹みや折れ曲がり）しやすく、かつ変形したまま復帰しにくいからである。蓋体側部２は、天井部１の上方から加わる外力に対してこの天井部の変形を予防する機能を有していてもよく、山部２１や突起部２２はこの機能を助長するリブとしての機能を有していてもよい。
なお、蓋体側部２に対する山部の数に限定はないが、双方の長手縁部１１，１１に沿って少なくとも２つ以上形成されていてもよい。山部２１は、蓋体側部２の長手縁部１１，１１及び短手縁部１２，１２に連接していなくてもよい。
【００１９】
山部２１は、天井部１を挟んでそれぞれ少なくとも二つ以上隣接して谷部が生じるように形成されていてもよく、この山部の各々が、側部２の周方向にずれて配されていてもよく、同一形状及び同一寸法でもよい。山部２１は、長手縁部１１，１１の各々に連接している山部２１ａ，２１ｂ及び山部２１ｃ，２１ｄを有していてもよい。山部２１ａ，２１ｂの間には谷部２１ａｂ、山部２１ｃ，２１ｄの間には谷部２１ｃｄが形成されていてもよい。山部２１の各々は、形状の異なる三角形が組み合わさって四角錘（ダイヤモンド）状に形成されていてもよい。山部２１を構成する三角形のうち、長手縁部１１側（山側）の三角形よりフランジ部３側（谷側）の三角形のほうが小さく、これらの両側に配された三角形の各々は同等の大きさでもよい。長手縁部１１側（山側）の三角形は、天井部１の上方から加わる外力に対して山部２１の変形を予防する機能を有していてもよい。
なお、山部２１の形状は、ダイヤモンド状に限らず、例えば、直方形状その他の立体形状でもよい。山部２１の各々は、同一寸法であってもなくてもよい。
【００２０】
天井部１を挟んだ谷部２１ａｂと谷部２１ｃｄとは、この天井部を跨ぐ同一直線上に位置しないように構成されていてもよい。谷部２１ａｂ，２１ｃｄは、直線状で、長手縁部１１，１１に直交していてもよい。谷部２１ａｂと谷部２１ｃｄとは、長手縁部１１，１１と直交する所定の直線に対して蓋体側部２の周方向にずれていてもよく、換言すると、この直線上に双方が位置せず（一方のみ位置し）、また、天井部１に対して線対称の位置になくてもよい。詳細には、谷部２１ａｂ（２１ｃｄ）は、長手縁部１１，１１と直交する所定の直線に対して蓋体側部２の周方向四分の一から二分の一ずれていてもよく、換言すると、天井部１を挟んで対向する長手縁部１１に直交する山部２１ｃ（２１ｂ）のニ等分線Ｓ（Ｓ’）と他方の谷部２１ｃｄ（２１ａｂ）の延長線Ｔ（Ｔ’）との中間を通過する線上に位置してもよい。図３及び図４に示すとおり、同一直線上の端面において、谷部２１ａｂ（２１ｃｄ）に対して山部２１ｃ（２１ｂ）が備わっていることにより、一方又は双方の谷部への応力集中に対して他方又は双方の山部の剛性が発揮されるため、天井部１が変形せず、又は変形しても弾性により元の形状への復帰が期待できる。谷部２１ａｂと谷部２１ｃｄとのずれの度合いが周方向四分の一未満及び二分の一超だと、天井部１の上方から加わる外力に耐え切れない恐れがあるからである。蓋体側部２の周方向に該当する山部２１の寸法（谷部２１ａｂと谷部２１ｃｄとの間隔）は、１ｍｍ以上１５ｍｍ未満でもよい。山部２１の周方向の寸法が１ｍｍ未満だと実質的に双方の谷部に対して周方向のずれを形成しにくく、１５ｍｍ超だと実質的に一方の谷部の位置に関わらず他方の谷部を基点として天井部１の上方から加わる外力に耐え切れない恐れがあるからである。
なお、谷部２１ａｂ，２１ｃｄは、長手縁部１１，１１に完全に接していなくてもよく、山部２１の一部又は隙間を介して設けられていてもよい。
【００２１】
突起部２２の範囲は、蓋体側部２からフランジ部３に渡って設けられていてもよい。突起部２２の個所は、長手縁１１，１１の両端付近でもよく、蓋体Ｍの各々で異なっていてもよい。突起部２２の平面視形状は、三角形状でもよく、山部２１の各々と異なっていてもよい。突起部２２は、蓋体Ｍ同士が積み重なったときの密着防止機能のみならず、山部２１と同様に上述した蓋体側部２の機能を助長するリブとしての機能を有していてもよい。
【００２２】
なお、本実施形態における包装用容器の蓋体Ｍ又は容器本体は、例えば真空成型、熱板圧空成型、真空圧空成型、両面真空成型等のシート成型で、合成樹脂シートを熱成型することにより形成されてもよい。合成樹脂シートとしては、例えば、ポリエチレンテレフタレート等のポリエステル系樹脂、ポリスチレン等のスチレン系樹脂、ポリプロピレン等のオレフィン系樹脂で、単層や多層のシートを使用してもよい。樹脂としては、例えば、発泡樹脂を使用すれば、軽量かつ断熱性があり好ましい。さらに、シートの表面または裏面を合成樹脂フィルムで覆ってもよく、表面を覆った場合は印刷を施してもよい。合成樹脂シートの厚みは特に制限はない。
容器本体は、例えば、食品を収納できる形状であれば限定はない。容器本体を閉蓋する蓋体Ｍは、外嵌合式でも内勘合式でもいずれでもよい。
【符号の説明】
【００２３】
Ｍ        蓋体
１        天井部
１１      長手縁部
１２      短手縁部
２        蓋体側部
２１（２１ａ，２１ｂ，２１ｃ，２１ｄ）      山部
２１ａｂ，２１ｃｄ    谷部
３        フランジ部
【図１】
2019127304.tif 000003
【図２】
2019127304.tif 000004
【図３】
2019127304.tif 000005
【図４】
2019127304.tif 000006